【手続補正書】
【提出日】平成30年8月20日(2018.8.20)
【手続補正１】
【補正対象書類名】明細書
【補正対象項目名】０００９
【補正方法】変更
【補正の内容】
【０００９】
上記目的を達成するために、本発明の通信装置は、ユーザの指示を受け付ける操作部と、アクセスポイント機能を有する装置を用いることなく他の装置と通信する第１の通信モード及び前記アクセスポイント機能を有する装置を経由して前記他の装置と通信する第２の通信モードを提供する通信インターフェースとを用い、ユーザが前記第１の通信モード及び前記第２の通信モードを利用可能な通信装置であって、前記操作部を通じて入力されたＭＴＵ（Maximum Transmission Unit）値についての設定情報を取得し、前記第２の通信モードにおいて前記取得された設定情報に関連する前記ＭＴＵ値のサイズを用いて前記通信インターフェースを前記他の装置と通信させ、前記第１の通信モードにおいて前記取得された設定情報に関連しない所定のＭＴＵ値のサイズを用いて前記通信インターフェースを前記他の装置と通信させる少なくとも１つの制御部を備えることを特徴とする。
【手続補正２】
【補正対象書類名】明細書
【補正対象項目名】００１０
【補正方法】変更
【補正の内容】
【００１０】
上記目的を達成するために、本発明の通信装置は、ユーザの指示を受け付ける操作部と、アクセスポイント機能を有する装置を用いることなく他の装置と通信する第１の通信モード及び前記アクセスポイント機能を有する装置を経由して前記他の装置と通信する第２の通信モードを提供する通信インターフェースとを用い、ユーザが前記第１の通信モード及び前記第２の通信モードを利用可能な通信装置であって、前記操作部を通じて入力されたＭＴＵ（Maximum Transmission Unit）値についての第１の設定情報を取得し、前記操作部を通じて入力された前記ＭＴＵ値についての第２の設定情報を取得し、前記第２の通信モードにおいて前記取得された第２の設定情報に関連する前記ＭＴＵ値のサイズを用いて前記通信インターフェースを前記他の装置と通信させ、前記第１の通信モードにおいて前記取得された第１の設定情報に関連する前記ＭＴＵ値のサイズを用いて前記通信インターフェースを前記他の装置と通信させる少なくとも１つの制御部を備えることを特徴とする。
【手続補正３】
【補正対象書類名】特許請求の範囲
【補正対象項目名】全文
【補正方法】変更
【補正の内容】
【特許請求の範囲】
【請求項１】
ユーザの指示を受け付ける操作部と、アクセスポイント機能を有する装置を用いることなく他の装置と通信する第１の通信モード及び前記アクセスポイント機能を有する装置を経由して前記他の装置と通信する第２の通信モードを提供する通信インターフェースとを用い、ユーザが前記第１の通信モード及び前記第２の通信モードを利用可能な通信装置であって、
前記操作部を通じて入力されたＭＴＵ（Maximum Transmission Unit）値についての設定情報を取得し、前記第２の通信モードにおいて前記取得された設定情報に関連する前記ＭＴＵ値のサイズを用いて前記通信インターフェースを前記他の装置と通信させ、前記第１の通信モードにおいて前記取得された設定情報に関連しない所定のＭＴＵ値のサイズを用いて前記通信インターフェースを前記他の装置と通信させる少なくとも１つの制御部を備えることを特徴とする通信装置。
【請求項２】
前記操作部は表示部を有し、
前記少なくとも１つの制御部は、前記ユーザへ前記ＭＴＵ値のサイズの入力を促す設定画面を前記表示部に表示させることを特徴とする請求項１記載の通信装置。
【請求項３】
前記設定画面は、複数の前記ＭＴＵ値のサイズのそれぞれに対応する複数の選択可能な選択肢を有し、前記複数のＭＴＵ値の各々は互いに異なることを特徴とする請求項２記載の通信装置。
【請求項４】
前記所定のＭＴＵ値のサイズは１５００バイトであることを特徴とする請求項１乃至３のいずれか１項に記載の通信装置。
【請求項５】
前記設定画面では、１５００バイトよりも小さいバイト数を前記ＭＴＵ値のサイズとして入力可能であることを特徴とする請求項２又は３記載の通信装置。
【請求項６】
前記第１の通信モードにおいて、前記通信装置及び前記他の通信装置が直接、無線で互いに接続されることを特徴とする請求項１乃至５のいずれか１項に記載の通信装置。
【請求項７】
前記第１の通信モードは、Ｗｉ−Ｆｉダイレクト機能を利用する通信のモードであることを特徴とする請求項１乃至６のいずれか１項に記載の通信装置。
【請求項８】
前記通信インターフェースは無線通信インターフェースであることを特徴とする請求項１乃至７のいずれか１項に記載の通信装置。
【請求項９】
印刷データに基づいて用紙に画像を形成する画像形成装置をさらに備え、
前記画像形成装置は、前記他の装置との通信を通じて前記他の装置から前記印刷データを取得することを特徴とする請求項１乃至８のいずれか１項に記載の通信装置。
【請求項１０】
原稿から画像を読み取る画像読取装置をさらに備え、
前記画像読取装置は、前記他の装置との通信を通じて前記読み取った画像を前記他の装置へ送信することを特徴とする請求項１乃至９のいずれか１項に記載の通信装置。
【請求項１１】
ユーザの指示を受け付ける操作部と、アクセスポイント機能を有する装置を用いることなく他の装置と通信する第１の通信モード及び前記アクセスポイント機能を有する装置を経由して前記他の装置と通信する第２の通信モードを提供する通信インターフェースとを用い、ユーザが前記第１の通信モード及び前記第２の通信モードを利用可能な通信装置の制御方法であって、
前記操作部を通じて入力されたＭＴＵ（Maximum Transmission Unit）値についての設定情報を取得し、
前記第２の通信モードにおいて前記取得された設定情報に関連する前記ＭＴＵ値のサイズを用いて前記通信インターフェースを前記他の装置と通信させ、
前記第１の通信モードにおいて前記取得された設定情報に関連しない所定のＭＴＵ値のサイズを用いて前記通信インターフェースを前記他の装置と通信させることを特徴とする通信装置の制御方法。
【請求項１２】
ユーザの指示を受け付ける操作部と、アクセスポイント機能を有する装置を用いることなく他の装置と通信する第１の通信モード及び前記アクセスポイント機能を有する装置を経由して前記他の装置と通信する第２の通信モードを提供する通信インターフェースとを用い、ユーザが前記第１の通信モード及び前記第２の通信モードを利用可能な通信装置の制御方法をコンピュータに実行させるプログラムにおいて、
前記制御方法は、
前記操作部を通じて入力されたＭＴＵ（Maximum Transmission Unit）値についての設定情報を取得し、
前記第２の通信モードにおいて前記取得された設定情報に関連する前記ＭＴＵ値のサイズを用いて前記通信インターフェースを前記他の装置と通信させ、
前記第１の通信モードにおいて前記取得された設定情報に関連しない所定のＭＴＵ値のサイズを用いて前記通信インターフェースを前記他の装置と通信させることを特徴とするプログラム。
【請求項１３】
ユーザの指示を受け付ける操作部と、アクセスポイント機能を有する装置を用いることなく他の装置と通信する第１の通信モード及び前記アクセスポイント機能を有する装置を経由して前記他の装置と通信する第２の通信モードを提供する通信インターフェースとを用い、ユーザが前記第１の通信モード及び前記第２の通信モードを利用可能な通信装置であって、
前記操作部を通じて入力されたＭＴＵ（Maximum Transmission Unit）値についての第１の設定情報を取得し、前記操作部を通じて入力された前記ＭＴＵ値についての第２の設定情報を取得し、前記第２の通信モードにおいて前記取得された第２の設定情報に関連する前記ＭＴＵ値のサイズを用いて前記通信インターフェースを前記他の装置と通信させ、前記第１の通信モードにおいて前記取得された第１の設定情報に関連する前記ＭＴＵ値のサイズを用いて前記通信インターフェースを前記他の装置と通信させる少なくとも１つの制御部を備えることを特徴とする通信装置。
【請求項１４】
前記操作部は表示部を有し、
前記少なくとも１つの制御部は、前記ユーザへ前記第１の設定情報及び前記第２の設定情報の入力を促す設定画面を前記表示部に表示させることを特徴とする請求項１３記載の通信装置。
【請求項１５】
前記設定画面は、複数の前記ＭＴＵ値のサイズのそれぞれに対応する複数の選択可能な選択肢を有し、前記複数のＭＴＵ値の各々は互いに異なることを特徴とする請求項１４記載の通信装置。
【請求項１６】
前記設定画面では、１５００バイトを前記第１の設定情報に関連する前記ＭＴＵ値のサイズとして入力可能であり、１５００バイトよりも小さいバイト数を前記第２の設定情報に関連する前記ＭＴＵ値のサイズとして入力可能であることを特徴とする請求項１５記載の通信装置。
【請求項１７】
前記第１の通信モードにおいて、前記通信装置及び前記他の通信装置が直接、無線で互いに接続されることを特徴とする請求項１３乃至１６のいずれか１項に記載の通信装置。
【請求項１８】
前記第１の通信モードは、Ｗｉ−Ｆｉダイレクト機能を利用する通信のモードであることを特徴とする請求項１３乃至１７のいずれか１項に記載の通信装置。
【請求項１９】
前記通信インターフェースは無線通信インターフェースであることを特徴とする請求項１３乃至１８のいずれか１項に記載の通信装置。